(57)【要約】【課題】不正行為を検知すると警告を行うパチンコ機において、不正行為がどの程度実行されたかを遊技店が把握できるようにする。【解決手段】所定の不正行為を検知する不正行為検知手段と、前記不正行為検知手段の検知を契機として、遊技者に対して所定態様の警告を行う警告行程を実行する警告制御手段と、前記警告行程の実行回数を計数して記憶する警告行程回数記憶手段と、該警告行程回数記憶手段が記憶する警告行程の実行回数を表示する警告行程回数表示手段とを配設した。かかる構成によれば、警告行程回数表示手段によって表示された警告行程の実行回数ｇ，ｈを遊技店の店員等が確認することによって、不正行為がどの程度実行されたかを遊技店が把握可能となる。【選択図】図３
2008188156.tif 000002
【特許請求の範囲】
【請求項１】
所定の不正行為を検知する不正行為検知手段と、
前記不正行為検知手段の検知を契機として、遊技者に対して所定態様の警告を行う警告行程を実行する警告制御手段と、
前記警告行程の実行回数を計数して記憶する警告行程回数記憶手段と、
該警告行程回数記憶手段が記憶する警告行程の実行回数を表示する警告行程回数表示手段とを備えることを特徴とするパチンコ機。
【請求項２】
前記警告行程回数表示手段は、前記警告行程の実行中に、前記警告行程回数記憶手段が記憶する警告行程の実行回数を表示するものであることを特徴とする請求項１記載のパチンコ機。
【請求項３】
前記警告行程回数表示手段は、
遊技盤面に配設される画像表示器と、非遊技状態の表示であるデモ表示を該画像表示器に表示させるデモ表示制御手段とを備え、
前記デモ表示において、前記警告行程回数記憶手段が記憶する警告行程の実行回数を表示するものであることを特徴とする請求項１又は請求項２に記載のパチンコ機。
【発明の詳細な説明】
【技術分野】
【０００１】
本発明は、所定の不正行為を検知する不正行為検知手段を備えた遊技機に関する。
【背景技術】
【０００２】
従来のパチンコ遊技において、パチンコ機を叩いて振動させたり、遊技盤面に磁石を近づけたりして、不正に入賞を発生させようとする行為は不正行為として禁じられている。このような不正行為対策として、振動センサや磁気センサ等を有する不正行為検知手段を備え、該不正行為検知手段が不正行為を検知した場合に、遊技者に対して所定態様の警告をするパチンコ機が知られている。
【０００３】
例えば、特許文献１記載のパチンコ機にあっては、遊技盤に振動センサが取り付けられており、該振動センサが所定閾値以上の振動を検知するとブザー音等を鳴らすなどの警告を行うようになっている。
【０００４】
【特許文献１】特開２００５−３１２４７４号公報
【発明の開示】
【発明が解決しようとする課題】
【０００５】
ところで、前記パチンコ機にあっては、不正行為検知に基づく警告が終了すると元の遊技状態に戻るようになっており、警告が終了してしまうと、不正行為が行われたかどうかを遊技店が確認し難かった。このため、同じパチンコ機で不正行為が繰り返し行われていても、遊技店がその事実を見逃してしまうおそれがあった。
【０００６】
本発明は、かかる現状に鑑みてなされたものであり、警告終了後であっても不正行為の事実を遊技店が把握できるパチンコ機の提供を目的とする。
【課題を解決するための手段】
【０００７】
本発明は、所定の不正行為を検知する不正行為検知手段と、前記不正行為検知手段の検知を契機として、遊技者に対して所定態様の警告を行う警告行程を実行する警告制御手段と、前記警告行程の実行回数を計数して記憶する警告行程回数記憶手段と、該警告行程回数記憶手段が記憶する警告行程の実行回数を表示する警告行程回数表示手段とを備えることを特徴とするパチンコ機である。
【０００８】
かかる構成にあっては、警告行程の実行回数（以下、警告行程回数と略す。）を警告行程回数表示手段が表示することによって、遊技店が、警告行程回数を把握することが可能となり、不正行為がどの程度実行されたかを知ることが可能となる。
【０００９】
本発明における「不正行為」とは、パチンコ機の遊技内容によって規定されるものであり、一概に決定することはできないが、一般的には、パチンコ機を振動させる行為や遊技盤面に磁石を近づける行為などが不正行為に該当する。なお、かかる不正行為は、遊技者の行為のみによって規定されるものだけでなく、一定期間中の所定行為を不正行為と規定するなど、時間的に限定されるものも含む。本発明における「不正行為検知手段」の構成は、不正行為を好適に検知するものであれば、その他には限定されるものではない。パチンコ機を振動させる行為や遊技盤面に磁石を近づける行為を不正行為とする場合は、不正行為検知手段が振動センサや磁気センサ等を備えることが提案される。
【００１０】
本発明における「警告行程」とは、不正行為検知手段の検知を契機として、所定態様の警告を開始し、所定条件が満たされると警告終了する一連の行程を指す。そして、本発明に係る警告行程回数記憶手段は、この警告行程の開始から終了までを一回の警告行程として計数するものである。警告行程中の警告態様は、既存のパチンコ機の警告態様全般を採用し得る。例えば、ブザー音による報知や、ランプの点滅、画像表示器による警告用画像の表示などが挙げられる。なお、警告行程は、実行中に絶え間なく警告を行うものに限らず、数秒おきにブザー音を鳴らすなどして間欠的に警告を行うものを含む。警告行程の終了条件は特に限定されない。例えば、実行開始から所定時間が経過すると終了するようにしてもよいし、新たな入賞が生じると終了するようにしてもよい。また、主電源の切断を警告行程の終了条件としてもよい。この場合は、主電源を落とすまで警告行程が継続することとなる。
【００１１】
ところで、不正行為検知手段が振動検知や磁気検知を利用して不正行為を検知するものである場合、一回の不正行為において振動検知や磁気検知が複数回為される場合がある。例えば、遊技者がパチンコ機を立て続けに叩いた場合、当該行為は一回の不正行為とカウントすべきであるが、パチンコ機の振動は短期間に複数回検知されることがある。また、遊技者が遊技盤に磁石を近づけた場合に、当該行為が一回であっても、複数の磁気センサが立て続けに磁気検知を行うことがある。このように、振動検知や磁気検知などを利用して不正行為を検知する構成では、振動や磁気が検知されるたびに警告行程を実行してしまうと、警告行程回数が実際の不正行為の回数を上回ることとなり、遊技店は不正行為の回数を正確に把握し難くなる。このため、本発明における警告制御手段は、一定の条件下において、不正行為検知手段が不正行為を検知しても警告行程を実行しない構成とすることが望ましい。具体的には、前記警告制御手段は、警告行程中に、不正行為検知手段が不正行為を検知しても、新たな警告行程を実行しない構成が提案される。また、前記警告制御手段は、警告行程を開始してから所定時間、不正行為検知手段が不正行為を検知しても、新たな警告行程を実行しない構成が提案される。これらの構成にあっては、不正行為検知手段が不正行為を短期間に立て続けに検知した場合には、警告行程が一回しか実行されないため、警告行程回数を実際の不正行為の回数に近づけることができる。
【００１２】
なお、パチンコ機を叩いて振動させる行為と遊技盤面に磁石を近づける行為など、二種類以上の不正行為を検知する構成にあっては、二種類以上の不正行為が略同時期に検知された場合でも、それらは別々の不正行為であるので、二回の不正行為として扱って、警告行程を二回実行することが望ましい。すなわち、不正行為検知手段が複数種類の不正行為を検知する構成にあって、警告制御手段は、警告行程中に、不正行為検知手段が当該警告行程の契機となった不正行為と同種類の不正行為を検知しても新たな警告行程を実行せず、当該警告行程の契機となった不正行為と別種類の不正行為を検知した場合には、新たな警告行程を実行する構成が提案される。同様に、不正行為検知手段が複数種類の不正行為を検知する構成にあって、警告制御手段は、警告行程を開始してから所定時間、不正行為検知手段が当該警告行程の契機となった不正行為と同種類の不正行為を検知しても新たな警告行程を実行せず、当該警告行程の契機となった不正行為と別種類の不正行為を検知した場合には、新たな警告行程を実行する構成が提案される。
【００１３】
本発明における警告行程回数表示手段は、画像表示器等の表示手段と、該表示手段の表示態様を制御する表示制御手段等によって構成することができる。ここで、前記警告行程回数表示手段は、遊技盤面に配設される画像表示器と、非遊技状態の表示であるデモ表示を該画像表示器に表示させるデモ表示制御手段とを備え、前記デモ表示において、前記警告行程回数記憶手段が記憶する警告行程の実行回数を表示するものである構成が提案される。上記「非遊技状態」とはパチンコ遊技が行われていない状態である。既存のパチンコ機では、一定時間入賞が発生しなかったり発射レバーが操作されなかったりすると非遊技状態に移行して、客待ちのデモンストレーション目的で、画像表示器にデモ表示を表示するようにしている。すなわち、かかる構成は、デモ表示を表示する既存の画像表示器を警告行程回数表示手段として用い、そのデモ表示を利用して、警告行程回数を表示するものであり、既存構成を利用して、簡単に警告行程回数を表示することができるという利点がある。
【００１４】
警告行程回数表示手段による警告行程回数の表示態様は、少なくとも遊技店の店員が警告行程数を理解できる態様であれば、その他は特に限定されない。すなわち、必ずしも、遊技者に明示する態様で表示する必要はない。例えば、予め遊技店の店員のみに周知されるシンボルを画像表示器の表示画面に表示したり、ランプの点灯色を変化させたりすることによって警告行程回数を表示するようにしてもよい。警告行程回数は、記憶された警告行程回数を正確に表示するものに限らず、その概数を表示するものであってもよい。また、記憶された警告行程回数が所定回数以上になった場合にのみ表示するようなものでもよい。
【００１５】
本発明における警告行程回数表示手段は、通常の遊技中には警告行程回数を表示しないもの、または、通常の遊技中は遊技者に明示しない態様で警告行程回数を表示するものであることが望ましい。遊技中に警告行程回数を遊技者に明示する態様で表示すると、遊技の興趣を削ぐおそれがあるためである。なお、「通常の遊技中」とは、パチンコ遊技が行われている状態であって、警告行程などの異常報知が行われていない状態を指す。
【００１６】
また、本発明において、前記警告行程回数表示手段は、前記警告行程の実行中に、前記警告行程回数記憶手段が記憶する警告行程の実行回数を表示するものである構成が提案される。かかる構成によれば、警告行程の際に、不正行為検知手段が検知した不正行為に対して警告するとともに、警告行程回数を報知することによって、遊技者に対して、不正行為に対する心理的な抑制効果を強く働かせることができ、不正行為の再発を効果的に防止できる。なお、かかる構成にあっては、警告行程中における警告行程回数の表示態様を、「二回目の警告です」などと遊技者に容易に認識される態様にすることが望ましい。
【００１７】
また、上述のように不正行為検知手段が複数種類の不正行為を検知し、警告制御手段が各種類の不正行為の検知に対して警告行程を行うパチンコ機にあっては、警告行程回数記憶手段は、警告行程回数を、各種類の不正行為検知を契機とする警告行程ごとに計数して記憶してもよいし、それらを区別せずに計数し、記憶するようにしてもよい。また、警告行程回数表示手段も、警告行程回数を、各種類の不正行為検知を契機とする警告行程ごとに表示するようにしてもよいし、それらを区別せずに合算した回数を表示するようにしてもよい。
【００１８】
本発明において、警告行程回数記憶手段が記憶する警告行程回数をリセットするための手段は、特に限定されるものではなく、適宜設定可能である。例えば、電源投入時に警告行程回数をリセットするようにしてもよいし、遊技店の店員等が所定操作を行うと警告行程回数がリセットされるようにしてもよい。なお、警告行程を電源切断時まで継続させるようにした構成にあっては、電源切断中においても警告行程回数記憶手段が警告行程回数を記憶し続ける構成とすることが望ましい。
【発明の効果】
【００１９】
以上に述べたように、本発明によれば、遊技店は、警告行程回数を確認することにより、不正行為がどの程度あったかを把握できる。また、遊技店は、警告行程回数を賞球数と比較することによって、警告行程回数の多いパチンコ機で多量の賞球が発生してないか等をチェックすることができ、不正行為対策を効率よく行うことが可能となる。
また、遊技店は、警告行程回数が極端に多いパチンコ機や、極端に少ないパチンコ機に対してセンサの作動チェックを重点的に行うようにすれば、センサの故障を早期に発見して、パチンコ機を正常状態に復旧させることができる。
【００２０】
また、本発明のパチンコ機は、ホール管理システム等の外部機器を利用することなく、独立して警告行程回数を計数・記憶し、表示するものであるため、遊技店の外部機器の仕様を変更することなく遊技店に導入することができ、導入コストが安いという利点がある。
【００２１】
また、警告行程回数表示手段が、前記警告行程の実行中に、前記警告行程回数記憶手段が記憶する警告行程の実行回数を表示するようにした場合には、警告行程の際に、警告行程回数を表示することによって、不正行為に対する心理的な抑制効果を強く働かせることができ、不正行為の再発を効果的に防止できる。
【００２２】
また、警告行程回数表示手段が、遊技盤面に配設される画像表示器と、非遊技状態の表示であるデモ表示を該画像表示器に表示させるデモ表示制御手段とを備え、前記デモ表示において、前記警告行程回数記憶手段が記憶する警告行程の実行回数を表示するようにした場合には、既存構成を大きく変更することなく、警告行程回数表示手段を適切に実現できる。
【発明を実施するための最良の形態】
【００２３】
本発明の実施形態を、以下の実施例に従って説明する。なお、下記実施例において、本発明に係る「不正行為検知手段」は、磁気センサ２０ａ〜２０ｄ、振動センサ２１、及び演出制御基板３１に該当する。また、本発明に係る「警告制御手段」は、演出制御基板３１及び画像表示器１６に該当する。また、本発明に係る「警告行程回数記憶手段」は、演出制御基板３１に該当する。また、本発明に係る「警告行程回数表示手段」は、演出制御基板３１及び画像表示器１６に該当する。また、本発明に係る「デモ表示制御手段」は、演出制御基板３１に該当する。
【００２４】
図１は、実施例のパチンコ機の遊技盤１を示す正面図である。遊技盤１の前面には、ガイドレール２によって略円形の遊技領域３が区画形成されている。遊技領域３の中央には、大入賞口１０を上部に備えるセンター役物５が配設されている。また、遊技領域３の下部には、三つの始動入賞口９ａ〜９ｃを備える始動入賞口部材６が配設されている。さらに、遊技領域３の下縁部には、６個のＬＥＤからなる特別図柄表示装置７が配設されている。
【００２５】
センター役物５の上部には、大入賞口１０を開閉する左右一対の可動翼片１１が配設される。また、センター役物５の中央部には、遊技球の振分けを行う振分ステージ１３が設けられている。この振分ステージ１３は、図示しない球通路を介して大入賞口と連通するとともに、ステージ前縁部において特定領域１４と一般領域１５と連通している。かかる構成によれば、大入賞口１０に入賞した遊技球は、振分ステージ１３上に流下し、振分ステージ１３上で転動した後、特定領域１４と一般領域１５のいずれかに流入することとなる。また、センター役物５の、振分ステージ１３の背面側位置には、液晶ディスプレイ等からなる画像表示器１６が配設されている。後述するように、この画像表示器１６の表示画面ｄでは、遊技状態に応じて種々の画像が表示される。
【００２６】
特別図柄表示装置７は、ＬＥＤの点灯態様によって特別図柄を表示するものである。この特別図柄は、始動入賞口９ａ〜９ｃのいずれかに遊技球が入賞すると変動表示され、その後に、所定の当り態様又はハズレ態様のいずれかで停止表示される。そして、当り態様で停止表示した場合は当りとなり、可動翼片１１が所定時間拡開する方向に変換して大入賞口１０が開放される。
【００２７】
また、図２に示すように、遊技盤１の背面側には、始動入賞口９ａ〜９ｃや大入賞口１０等に入賞した遊技球を機外に排出するための球通路が形成された集合樋部材１８が取り付けられている。
【００２８】
以下に、パチンコ機の遊技の流れを説明する。
【００２９】
一般遊技状態において、遊技領域３に発射された遊技球が始動入賞口９ａ〜９ｃのいずれかに入賞すると、特別図柄表示装置７のＬＥＤが点滅して特別図柄が変動表示され、その後に当り態様又はハズレ態様で停止表示される。このとき、画像表示器１６の表示画面ｄでは、演出用の演出図柄ｆが特別図柄と同期するように変動表示・停止表示される（図３（ａ）参照）。センター役物５の大入賞口１０は、通常は可動翼片１１により閉鎖されているが、特別図柄が当り態様で停止表示されると可動翼片１１が変換して大入賞口１０が１．２秒間開放される。そして、開放中の大入賞口１０に遊技球が入賞し、入賞した遊技球が特定領域１４に振り分けられると大当りとなって大当り遊技状態に移行する。
【００３０】
大当り遊技状態では、所定の開閉ラウンドが最高１５Ｒまで継続する。一回の開閉ラウンドでは、遊技球が９個入賞するまで、又は、可動翼片が大入賞口１０の開放（０．８秒／１回）を１８回繰り返すまで大入賞口１０が開放されることとなり、遊技者は多くの賞球を獲得可能となる。また、大当り遊技状態では、上記開閉ラウンドと並行するようにして、画像表示器１６の表示画面ｄに大当り遊技用の演出表示が表示される（図示省略）。
【００３１】
一般遊技状態において、特別図柄特別図柄（及び演出図柄）が１分３０秒間変動しない場合は、一般遊技状態から非遊技状態に移行する。この非遊技状態にあっては、画像表示器１６の表示画面ｄにおいて、客待ちのデモンストレーション目的でデモ表示が表示される（図３（ｂ）参照）。なお、後述するように、本発明に係る警告行程回数ｇ，ｈは、このデモ表示中に表示画面ｄに表示される。非遊技状態において、遊技球が始動入賞口９ａ〜９ｃのいずれかに入賞すると非遊技状態から一般遊技状態に移行する。このとき、表示画面ｄではデモ表示が終了し、特別図柄と同期するように演出図柄ｆが変動表示される。
【００３２】
以下に、本発明の要部に係る構成を詳細に説明する。
【００３３】
本実施例のパチンコ機では、（イ）遊技盤面に磁石を近づける行為、（ロ）大入賞口への入賞後数秒間にパチンコ機を振動させる行為、の二種類の行為を検知すべき不正行為と規定しており、これらの行為を検知した場合には遊技者に対して所定態様の警告を行う警告行程が実行される。
【００３４】
本実施例のパチンコ機は、上記不正行為を検知するために、遊技盤面の磁気変化を検知するための四つの磁気センサ２０ａ〜２０ｄと、パチンコ機の振動を検知するための一つの振動センサ２１を備えている。図４，５に示すように、二つの磁気センサ２０ａ，２０ｂは、センター役物５の上部の、大入賞口１０の近傍位置に配設されており、残りの二つの磁気センサ２０ｃ，２０ｄは、始動入賞口部材６の、始動入賞口９ａ〜９ｃ近傍位置に配設されている。各磁気センサ２０ａ〜２０ｄは、後述する演出制御基板３１に接続されており、大入賞口１０や始動入賞口９ａ〜９ｃに磁石を近づけるなどの行為が行われ、磁気センサ２０ａ〜２０ｄが所定閾値以上の磁気を検知した場合には、磁気センサ２０ａ〜２０ｄから演出制御基板３１に検知信号が送信されるようになっている。一方、振動センサ２１は、図２に示すように、集合樋部材１８の背面下部に配設されている。この振動センサ２１は、後述する演出制御基板３１に接続されており、パチンコ機を叩くなどの行為が行われ、振動センサ２１が所定閾値以上の振動を検知した場合には、振動センサ２１から演出制御基板３１に検知信号が送信されるようになっている。
【００３５】
次に、本実施例のパチンコ機の警告行程について説明する。
【００３６】
警告行程は、上述のように上記不正行為の検知を契機として実行されるものであり、上記磁気センサ２０ａ〜２０ｄの検知信号に基づく磁気警告行程と、上記振動センサ２１の振動検知に基づく振動警告行程とがある。
【００３７】
磁気警告行程では、図３（ｃ）に示すように、画像表示器１６の表示画面ｄ上部に「警告！磁石を近づけないで下さい！」と表示することにより、遊技者に対して磁石等を近づけないよう警告が為される。この磁気警告行程は、磁気センサ２０ａ〜２０ｄのいずれかが閾値以上の磁気を検知すると開始され、実行開始から３０秒経過後に終了する。なお、磁気警告行程中の３０秒間は、磁気センサ２０ａ〜２０ｄは無効とされる。すなわち、磁気警告行程中に、磁気センサ２０ａ〜２０ｄが閾値以上の磁気を検知しても、新たな磁気警告行程は実行されず、実行中の磁気警告行程の実行時間が延長されることもない。
【００３８】
一方、振動警告行程では、図３（ｄ）に示すように、画像表示器１６の表示画面ｄ下部に「警告！台を叩かないで下さい！」と表示することにより、遊技者に対してパチンコ機を振動させないよう警告が為される。この振動警告行程は、振動センサ２１が所定閾値以上の振動を検知すると開始され、実行開始から３０秒経過後に終了する。ただし、本実施例では、「大入賞口への入賞後３．５秒間にパチンコ機を振動させる行為」を不正行為として規定しており、この期間外に振動センサ２１が閾値以上の振動を検知しても警告行程は実行されない。なお、大入賞口への入賞後３．５秒間は、大入賞口１０に入賞した遊技球を特定領域１４または一般領域１５に振り分けられる時間であり、パチンコ機を振動させることによって不正に利得を得やすい期間である。すなわち、本実施例では、このような期間中に、パチンコ機を振動させる行為のみを不正行為と規定している。これは、不必要な警告行程や振動センサ２１の誤作動による弊害を防ぐためである。また、大入賞口入賞後３．５秒間であっても、振動警告行程中の３０秒間は、振動センサ２１が閾値以上の振動を検知しても新たな振動警告行程は実行されず、実行中の振動警告行程の実行時間が延長されることもない。
【００３９】
なお、磁気警告行程と振動警告行程とは独立して実行される。すなわち、磁気警告行程中に振動センサ２１が振動を検知した場合や、振動警告行程中に磁気センサ２０ａ〜２０ｄが磁気を検知した場合には、その時点からしばらくの間、図３（ｅ）に示すように、「警告！磁石を近づけないで下さい！」という警告と、「警告！台を叩かないで下さい！」という警告とが表示画面ｄに同時に表示され、磁気警告行程と振動警告行程が並行して実行される。
【００４０】
本実施例のパチンコ機は、警告行程の実行回数（警告行程回数）を随時計数し、記憶保持しており、記憶した警告行程回数を所定態様で画像表示器１６に表示するようにしている。具体的には、警告行程回数は、後述の演出制御基板３１によって、磁気警告行程の実行回数と振動警告行程の実行回数とで別々に計数され、「磁気警告行程回数」及び「振動警告行程回数」として記憶される。そして、磁気警告行程が実行開始されると、記憶されている磁気警告行程回数に「１」が加算され、振動警告行程が実行開始されると、記憶されている振動警告行程回数に「１」が加算される。また、記憶された警告行程回数は電源投入時の初期化の際にリセットされる。
【００４１】
そして、記憶された「磁気警告行程回数」及び「振動警告行程回数」は、上記デモ表示の際に画像表示器１６の表示画面ｄに表示される。具体的には、デモ表示では、「ＦＩＮＥ  ＰＬＡＹ」というデモンストレーション目的の画像が表示画面ｄの中央に大きく表示されるとともに、表示画面ｄの右側部に、磁気警告行程回数（図中ｇ）と振動警告行程回数（図中ｈ）とが夫々枠付き数字として上下に表示される。
【００４２】
このように、本実施例のパチンコ機は、非遊技状態のデモ表示において、警告行程回数（磁気警告行程回数及び振動警告行程回数）を表示するようになっており、遊技店の店員が遊技者の離席後や営業終了後などに警告行程回数を確認することにより、遊技店が当該パチンコ機で不正行為がどの程度あったかを把握可能とすることができる。また、遊技店は、警告行程回数を賞球数と比較することによって、警告行程回数の多いパチンコ機で多量の賞球が発生してないか等をチェックすることができ、不正行為対策を効率よく行うことが可能となる。また、遊技店は、警告行程回数が極端に多いパチンコ機や、極端に少ないパチンコ機に対してセンサの作動チェックを重点的に行うようにすれば、センサの故障を早期に発見して、パチンコ機を正常状態に復旧させることができる。
【００４３】
また、本発明のパチンコ機は、ホール管理システム等の外部機器を利用することなく、独立して警告行程回数を計数・記憶し、表示するものであるため、遊技店の外部機器の仕様を変更することなく遊技店に導入することができ、導入コストが安いという利点がある。
【００４４】
また、本実施例のパチンコ機は、一般遊技状態や大当り遊技状態では警告行程回数を表示せず、非遊技状態のデモ表示中にのみ警告行程回数を表示している。かかる構成によれば、普通に遊技が行われている限りは遊技者に警告行程回数が表示されないため、警告行程回数の表示によって遊技の興趣が削がれる心配がない。
【００４５】
また、本実施例にあっては、磁気警告行程中に磁気センサ２０ａ〜２０ｄが検知信号を送信しても新たな磁気警告行程を実行せず、かつ、振動警告行程中に振動センサ２１が検知信号を送信しても新たな振動警告行程を実行しないようにしている。かかる構成によれば、遊技者が遊技盤１に磁石を近づけた際に複数の磁気センサ２０ａ〜２０ｄが立て続けに検知信号を送信したとしても、磁気警告行程が複数回実行されることがない。また、遊技者がパチンコ機を叩いて振動させた際に振動センサ２１が短期間に複数回検知信号を送信したとしても、振動警告行程が複数回実行されることがない。すなわち、本構成によれば、不正行為の実行回数と警告行程の実行回数を正確に対応付けすることができ、遊技店は、表示された警告行程回数から不正行為の回数を正確に把握できる。
【００４６】
次に、上記警告行程や警告行程回数の表示の制御に係る制御回路を、図６を参照して説明する。
【００４７】
マイクロコンピュータを構成する演出制御基板３１には、画像表示器１６の表示画面ｄ等を制御するための基板回路が設けられている。この演出制御基板３１は、画像表示器１６の表示画面ｄを制御するものであり、警告行程の制御や警告行程回数の表示制御はこの演出制御基板３１によって主に実行される。この基板回路上には演出制御用中央制御装置ＣＰＵが配設されている。この演出制御用中央制御装置ＣＰＵには、演算処理に用いる動作プログラムや表示画像データ等を格納するＲＯＭと、必要なデータを随時読み書きできるＲＡＭとが、データを読み書きするアドレスを指定する情報を一方的に伝えるアドレスバス（図示省略）と、データのやり取りを行うデータバス（図示省略）を介して接続され、演出制御基板３１の基板回路を構成している。
【００４８】
前記ＲＡＭには、主制御基板３０から受信した制御コマンドや、磁気センサ２０ａ〜２０ｄ，振動センサ２１から受信された検知信号などが一時的に記憶される記憶エリア、後述する各種のタイマやフラグ等を構成するレジスタ領域、及びワークエリア等が設けられている。また、このＲＡＭには、上記磁気警告行程回数及び振動警告行程回数が記憶される。
【００４９】
また、この演出制御基板３１の基板回路には、演出制御用中央制御装置ＣＰＵが周辺機器とデータ通信を行う入力ポート（図示省略）及び出力ポート（図示省略）が設けられている。
【００５０】
演出制御基板３１の出力ポートからは、画像表示器１６に向けて、画像表示制御用の制御コマンドが一方向に出力される。画像表示器１６は、かかる制御コマンドにしたがって演出図柄ｆや大当り遊技用の演出表示、デモ表示等を表示画面ｄに表示する。
【００５１】
また、演出制御基板３１の入力ポートには、主制御基板３０からの制御コマンドが入力される。主制御基板３０は、遊技の統括的な制御を実行するものであり、演出制御基板３１は、主制御基板３０から送信された種々の制御コマンドにしたがって画像表示器１６へ画像表示制御用の制御コマンドを送信する。例えば、特別図柄を変動開始する際には、主制御基板３０から演出制御基板３１に変動開始コマンドが送信され、演出制御基板３１は該コマンドに従って、表示画面ｄで演出図柄を変動表示させるための制御コマンドを画像表示器１６へ送信する。また、大当り遊技状態では、主制御基板３０から大当り遊技演出コマンドが送信され、演出制御基板３１は該コマンドにしたがって、大当り遊技用の演出表示を表示するよう画像表示器１６に制御コマンドを送信する。また、非遊技状態では、主制御基板３０からデモ表示コマンドが送信され、演出制御基板３１は、該デモ表示コマンドを送信すると、警告行程回数付きのデモ表示を開始するための制御コマンドを画像表示器１６へ送信する。
【００５２】
また、演出制御基板３１の入力ポートには、上述した磁気センサ２０ａ〜２０ｄ及び振動センサ２１が接続される。上述したように、演出制御基板３１は、磁気センサ２０ａ〜２０ｄから有効な検知信号を受信すると、表示画面ｄに「警告！磁石を近づけないで下さい！」と表示するよう画像表示器１６に制御コマンドを送信し、振動センサ２１から有効な検知信号を受信すると、表示画面ｄに「警告！台を叩かないで下さい！」と表示するよう画像表示器１６に制御コマンドを送信する。
【００５３】
また、演出制御基板３１の入力ポートには、各基板に電源を供給する電源基板３２が接続されている。電源基板３２は、演出制御基板３１に電源を供給するだけでなく、演出制御基板３１を初期化するためのシステムリセット信号や、外部電源が遮断されたことを示す電源断信号などを演出制御基板３１に送信する。
【００５４】
次に、演出制御基板３１で実行される制御処理について、図７〜１４に従って説明する。
【００５５】
図７は、演出制御用中央制御装置ＣＰＵで繰り返し実行されるメイン処理の制御内容を示すフローチャートである。
【００５６】
メイン処理では、まず、電源投入時であるか否かの判定を行う（Ｓ１）。そして、電源投入時であると判定した場合には、後述の電源投入時処理（Ｓ２）を実行し、その後に、各種乱数カウンタの更新処理（Ｓ３）を、リセット信号を受信するまで繰り返し実行する。
【００５７】
一方、ステップＳ１で電源投入時でないと判定した場合には、電源基板３２から電源断信号を受信しているか否かを判定する（Ｓ４）。そして、電源断信号を受信していると判定した場合には、後述のＮＭＩ処理（Ｓ６）を実行する。これに対し、電源断信号を受信していないと判定した場合には、後述の演出制御処理（Ｓ５）を実行後、各種乱数カウンタの更新処理（Ｓ３）を、リセット信号を受信するまで繰り返し実行する。
【００５８】
次に、前記電源投入時処理（図７、Ｓ２）を図８にしたがって説明する。
【００５９】
まず、演出制御用中央制御装置ＣＰＵは、ＲＡＭクリアスイッチがＯＮであるか否かを判定する（Ｓ１１）。そして、ＲＡＭクリアスイッチがＯＮであると判定した場合には、ＲＡＭの記憶情報のクリア等を行う初期化処理（Ｓ１２）を実行し、電源投入時処理を終了する。一方、ＲＡＭクリアスイッチがＯＮでないと判定した場合には、バックアップフラグがＯＮであるか否かを判定する（Ｓ１３）。バックアップフラグは、電源切断時にＲＡＭの記憶情報がバックアップされたか否かを示すものである。バックアップフラグがＯＮ（バックアップされた）と判定した場合には、バックアップされた記憶情報の復帰等を行う復旧処理（Ｓ１４）を実行し、電源投入時処理を終了する。一方、バックアップフラグがＯＮでないと判定した場合には、前記初期化処理（Ｓ１２）を実行し、電源投入時処理を終了する。
【００６０】
次に、前記ＮＭＩ処理（図７、Ｓ６）を図９にしたがって説明する。
【００６１】
まず、演出制御用中央制御装置ＣＰＵは、レジスタに記憶された情報をＲＡＭの所定領域に退避させ（Ｓ２１）、バックアップフラグをＯＮにする（Ｓ２２）。そして、ＲＡＭへのアクセスを禁止し（Ｓ２３）、システムリセット待ち状態にする。
【００６２】
次に、前記演出制御処理（図７、Ｓ５）を図１０にしたがって説明する。
【００６３】
演出制御処理では、演出制御用中央制御装置ＣＰＵは、以下の６つのサブルーチンを順番に実行し、演出制御処理を終了する。
・乱数更新処理（Ｓ３１）：演出図柄の表示態様に係る各種乱数を更新する処理。
・演出図柄処理（Ｓ３２）：主制御基板３０からの制御コマンド受信に基づいて演出図柄の変動表示・停止表示を制御する処理。
・大当り演出処理（Ｓ３３）：主制御基板３０からの制御コマンド受信に基づいて大当り演出表示を制御する処理。
・デモ表示処理（Ｓ３４）：主制御基板３０からの制御コマンド受信に基づいてデモ表示を制御する処理。
・磁気警告処理（Ｓ３５）：磁気センサ２０ａ〜２０ｄからの検知信号受信に基づく磁気警告行程を制御する処理。
・振動警告処理（Ｓ３６）：振動センサ２１からの検知信号受信に基づく振動警告行程を制御する処理。
【００６４】
上記演出制御処理で実行されるサブルーチンのいくつかは、従来のパチンコ機で採用されているものである。このため、以下では、本発明の要部に係るサブルーチン（デモ表示処理、磁気警告処理、振動警告処理）についての制御処理のみ詳述し、従来機同様の制御処理を行うサブルーチンについての説明は省略する。
【００６５】
次に、前記磁気警告処理（図１０、Ｓ３５）を図１１にしたがって説明する。
【００６６】
まず、演出制御用中央制御装置ＣＰＵは、磁気警告フラグがＯＮであるか否かを判定する（Ｓ４１）。この磁気警告フラグは磁気警告行程中であるか否かを示すものである。そして、磁気警告フラグがＯＮ（磁気警告行程中）でないと判定した場合には、磁気センサ２０ａ〜２０ｄから検知信号を受信したか否かを判定し（Ｓ４２）、磁気センサ２０ａ〜２０ｄから検知信号を受信していないと判定した場合は、磁気警告処理を終了する。一方、磁気センサ２０ａ〜２０ｄから検知信号を受信したと判定した場合には、前記磁気警告フラグをＯＮにするとともに（Ｓ４３）、磁気警告行程回数に「１」を加算し（Ｓ４４）、次に、磁気警告行程の実行時間計測用の磁気警告タイマに３０秒をセットし（Ｓ４５）、さらに、磁気警告行程を開始するための制御コマンドを画像表示器１６に送信して（Ｓ４６）、磁気警告処理を終了する。
【００６７】
一方、前記ステップＳ４１で、磁気警告フラグがＯＮ（磁気警告行程中）であると判定した場合には、前記磁気警告タイマが３０秒を計測終了したか否かを判定し（Ｓ４７）、計測終了していないと判定した場合には、そのまま磁気警告処理を終了する。磁気警告タイマが３０秒を計測終了したと判定した場合は、磁気警告行程を終了するための制御コマンドを画像表示器１６に送信し（Ｓ４８）、磁気警告フラグをＯＦＦにしてから（Ｓ４９）、磁気警告処理を終了する。
【００６８】
次に、前記振動警告処理（図１０、Ｓ３６）を図１２にしたがって説明する。
【００６９】
まず、演出制御用中央制御装置ＣＰＵは、振動検知の有効状態を設定するための振動時間設定処理を実行し（Ｓ５１）、次に、振動警告フラグがＯＮであるか否かを判定する（Ｓ５２）。この振動警告フラグは振動警告行程中であるか否かを示すものである。そして、振動警告フラグがＯＮ（振動警告行程中）でないと判定した場合には、振動センサ２１から検知信号を受信したか否かを（Ｓ５３）、及び、振動検知の有効状態を示す振動検知有効フラグがＯＮであるか否かを判定する（Ｓ５４）。そして、振動センサ２１から検知信号を受信していないと判定した場合、または、振動検知有効フラグがＯＮ（振動検知有効状態）でないと判定した場合には、そのまま振動警告処理を終了する。一方、前記ステップＳ５３，５４で、振動センサ２１から検知信号を受信しており、かつ、振動検知有効フラグがＯＮ（振動検知有効状態）であると判定した場合には、前記振動警告フラグをＯＮにするとともに（Ｓ５５）、振動警告行程回数に「１」を加算し（Ｓ５６）、次に、振動警告行程の実行時間計測用の振動警告タイマに３０秒をセットし（Ｓ５７）、さらに、振動警告行程を開始するための制御コマンドを画像表示器１６に送信して（Ｓ５８）、振動警告処理を終了する。
【００７０】
一方、前記ステップＳ５２で、振動警告フラグがＯＮ（振動警告行程中）であると判定した場合には、前記振動警告タイマが３０秒を計測終了したか否かを判定し（Ｓ５９）、計測終了していないと判定した場合には、そのまま振動警告処理を終了する。振動警告タイマが３０秒を計測終了したと判定した場合は、振動警告行程を終了するための制御コマンドを画像表示器１６に送信し（Ｓ６０）、振動警告フラグをＯＦＦにしてから（Ｓ６１）、振動警告処理を終了する。
【００７１】
次に、前記振動検知時間設定処理（図１２、Ｓ５１）を図１３にしたがって説明する。
【００７２】
まず、演出制御用中央制御装置ＣＰＵは、大入賞口１０の入口に設けられているカウントセンサが遊技球の通過を検知したか否かを判定する（Ｓ７１）。そして、カウントセンサが遊技球の通過を検知したと判定した場合は、振動検知有効フラグがＯＮ（振動検知有効状態）であるか否かの判定を行い（Ｓ７２）、振動検知有効フラグがＯＮであると判定した場合は、振動検知の有効時間計測用の振動検知有効タイマを３．５秒にセットし直して（Ｓ７４）、振動検知時間設定処理を終了する。一方、振動検知有効フラグがＯＮでないと判定した場合には、前記振動検知有効フラグをＯＮにしてから（Ｓ７３）、振動検知有効タイマを３．５秒にセットして（Ｓ７４）、振動検知時間設定処理を終了する。
【００７３】
前記ステップＳ７１で、カウントセンサが遊技球の通過を検知していないと判定した場合には、振動検知有効フラグがＯＮ（振動検知有効状態）であるか否かを（Ｓ７５）、及び、振動検知有効タイマが３．５秒を計測終了したか否か（Ｓ７６）を判定する。そして、振動検知有効フラグがＯＮでないと判定した場合、または、振動検知有効タイマが３．５秒を計測終了していないと判定した場合には、そのまま振動検知時間設定処理を終了する。一方、振動検知有効フラグがＯＮであり、かつ、振動検知有効タイマが３．５秒を計測終了したと判定した場合は、振動検知有効フラグをＯＦＦにしてから（Ｓ７７）、振動検知時間設定処理を終了する。
【００７４】
次に、前記デモ表示処理（図１０、Ｓ３４）を図１４にしたがって説明する。
【００７５】
まず、演出制御用中央制御装置ＣＰＵは、デモ表示中フラグがＯＮであるか否かを判定する（Ｓ８１）。このデモ表示中フラグはデモ表示中であるか否かを示すものである。そして、デモ表示中フラグがＯＮ（デモ表示中）でないと判定した場合には、主制御基板３０からデモ表示コマンドを受信したか否かを判定し（Ｓ８２）、デモ表示コマンドを受信していないと判定した場合は、デモ表示処理を終了する。一方、デモ表示コマンドを受信したと判定した場合は、前記デモ表示中フラグをＯＮにするとともに（Ｓ８３）、デモ表示の表示時間計測用のデモ表示タイマに６０秒をセットし（Ｓ８４）、次に、記憶された磁気警告行程回数及び振動警告行程回数をセットし（Ｓ８５）、さらに、各警告行程回数の表示を含んだデモ表示を開始するための制御コマンドを画像表示器１６に送信して（Ｓ８６）、デモ表示処理を終了する。
【００７６】
一方、ステップＳ８１で、デモ表示中フラグがＯＮ（デモ表示中）であると判定した場合には、前記デモ表示タイマが６０秒を計測終了したか否かを（Ｓ８７）、及び、主制御基板３０から変動開始コマンドを受信したか否か（Ｓ９１）を判定する。そして、デモ表示タイマが６０秒を計測終了しておらず、かつ、変動開始コマンドを受信していないと判定した場合には、そのままデモ表示処理を終了する。一方、デモ表示タイマが６０秒を計測終了したと判定した場合、または、変動開始コマンドを受信したと判定した場合には、デモ表示を終了するための制御コマンドを画像表示器１６に送信し（Ｓ８８）、続いて、前回の変動表示で停止した演出図柄を表示するための制御コマンドを画像表示器１６に送信し（Ｓ８９）、さらに、デモ表示中フラグをＯＦＦにして（Ｓ９０）、デモ表示処理を終了する。
【００７７】
以上の演出制御基板３１の制御処理（図７〜１４）において、本発明における不正行為検知手段に係る制御処理は、ステップＳ４１〜Ｓ４３，Ｓ５２〜Ｓ５５，Ｓ７１〜Ｓ７７で実行される。また、本発明における警告制御手段に係る制御処理は、ステップＳ４５〜Ｓ４９，Ｓ５７〜Ｓ６１で実行される。また、本発明における警告行程回数記憶手段に係る制御処理は、ステップＳ４４，Ｓ５６で実行される。また、本発明における警告行程回数表示手段及びデモ表示制御手段に係る制御処理は、ステップＳ８１〜Ｓ９１で実行される。
【００７８】
なお、本発明におけるパチンコ機は、上記実施例の形態に限らず本発明の要旨を逸脱しない範囲内において種々変更を加えることができる。
【００７９】
例えば、上記実施例では、非遊技状態のデモ表示中においてのみ警告行程回数を表示しているが、図１５に示すように、警告行程の実行中において、画像表示器１６の表示画面ｄで警告行程回数（図中ｇ’，ｈ’）を表示するようにしてもよい。かかる構成では、警告行程と警告行程回数の表示との相乗効果によって、遊技者に不正行為の再発を強く警告することができる。
【００８０】
また、上記実施例では、（イ）遊技盤面に磁石を近づける行為、（ロ）大入賞口への入賞後数秒間にパチンコ機を振動させる行為、の二種類の行為を検知すべき不正行為として規定しているが、本発明のパチンコ機は、検知すべき不正行為が一種類であってもよいし、三種類以上であってもよい。
【００８１】
また、上記実施例では、磁気警告行程及び振動警告行程を、実行開始から３０秒で終了しているが、本発明に係る警告行程は電源切断時まで継続するようなものであってもよい。なお、警告行程を電源切断時まで継続する場合には、電源切断中に演出制御基板３１に警告行程回数を記憶し続けるとともに、電源投入時に当該警告行程回数データを初期化しないようにして、電源切断期間の前後に亘って警告行程回数が記憶保持されるようにすることが望ましい。
【００８２】
また、上記実施例では、警告行程を開始する際に、記憶された警告行程回数に「１」を加算するようにしているが、警告行程回数の加算タイミングは、警告行程終了時であってもよいし、作動途中であってもかまわない。
【図面の簡単な説明】
【００８３】
【図１】遊技盤１の正面図である。
【図２】遊技盤１の背面図である。
【図３】画像表示器１６の表示画面ｄの表示態様を示す説明図である。
【図４】大入賞口１０近傍を拡大して示す遊技盤１の拡大正面図である。
【図５】始動入賞口９ａ〜９ｃ近傍を拡大して示す遊技盤１の拡大正面図である。
【図６】警告行程等の制御に係る制御回路を示すブロック図である。
【図７】メイン処理の処理内容を示すフローチャートである。
【図８】電源投入時処理の処理内容を示すフローチャートである。
【図９】ＮＭＩ処理の処理内容を示すフローチャートである。
【図１０】演出制御処理の処理内容を示すフローチャートである。
【図１１】磁気警告処理の処理内容を示すフローチャートである。
【図１２】振動警告処理の処理内容を示すフローチャートである。
【図１３】振動検知時間設定処理の処理内容を示すフローチャートである。
【図１４】デモ表示処理の処理内容を示すフローチャートである。
【図１５】警告行程回数の表示態様の変形例を示す説明図である。
【符号の説明】
【００８４】
１  遊技盤
５  センター役物
７  特別図柄表示装置
９ａ〜９ｃ  始動入賞口
１０  大入賞口
１６  画像表示器
２０ａ，２０ｂ，２０ｃ，２０ｄ  磁気センサ（ａ〜ｄ）
２１  振動センサ
３１  演出制御基板
ｇ，ｇ’  磁気警告行程回数
ｈ，ｈ’  振動警告行程回数
【図１】
2008188156.tif 000003
【図２】
2008188156.tif 000004
【図３】
2008188156.tif 000005
【図４】
2008188156.tif 000006
【図５】
2008188156.tif 000007
【図６】
2008188156.tif 000008
【図７】
2008188156.tif 000009
【図８】
2008188156.tif 000010
【図９】
2008188156.tif 000011
【図１０】
2008188156.tif 000012
【図１１】
2008188156.tif 000013
【図１２】
2008188156.tif 000014
【図１３】
2008188156.tif 000015
【図１４】
2008188156.tif 000016
【図１５】
2008188156.tif 000017